【事件の表示】
　特願２００４−１６６５３２号「洗髪兼整髪用手袋」拒絶査定不服審判事件〔平成１７年１２月１５日出願公開、特開２００５−３４２２７８号〕について、次のとおり審決する。
【結　論】
　本件審判の請求は、成り立たない。
【理　由】
１．手続の経緯・本願発明
　本願は、平成１６年６月４日の出願であって、平成２０年５月８日付けで拒絶査定がなされ、これに対し、平成２０年６月２３日に拒絶査定不服審判の請求がなされたものであって、その請求項１に係る発明は、平成１９年１２月３日付け、平成２０年６月２３日付け、及び平成２０年７月２３日付け手続補正書により補正された明細書、特許請求の範囲及び図面の記載からみて、その特許請求の範囲の請求項１に記載された事項により特定される次のとおりのものである（以下、「本願発明」という）。
　
「５本の指挿入部２を突出する防水手袋であって、
各指挿入部２の指腹覆合部３に弾性板５を固着するとともに、この弾性板から、複数の櫛歯状弾性突起４を突出してなり、
各弾性突起４は、髪形整形用の突起として、先端部に比べて基端部を太くして弾性板と一体成形しており、
かつ弾性突起４は、相互に小間隙を介して離間させている
ことを特徴とする、洗髪兼整髪用手袋。」
　
２．引用例の記載事項
　これに対して、原査定の拒絶の理由で引用した、特開２００２−２６６１２８号公報（以下、「引用例」という）には、次の事項が図面とともに記載されている。
　ア　「【発明の属する技術分野】本発明は洗髪とか洗顔時に用いる手袋に関する。」（段落【０００１】）
　イ　「【発明の実施の形態】図１は本発明の実施形態の一つを示すもので、第１図のＡは手袋本体１の各指ａ〜ｅの先端節の腹側に突起２を形成した例である。・・・・・・」（段落【０００６】）
　ウ　「図２Ａは指毎に突起２を２個ずつ形成した例である。各指の突起を複数にすると、各１個の場合より効果的である。指毎の突起の数は２個とは限られない。図２Ｂは指毎の突起２の数を多数にした例である。図２Ｃは突起２を更に細かく多数にした例で、毛の短いブラシに似ている。洗髪，洗顔の効果もブラシを使うのに近い。・・・・・・」（段落【０００７】）
　エ　「上述した手袋の製造方法について述べる。手袋の本体の材質は不透水性で、適当に伸縮性があれば、何でも良いが、ゴムを用いるのが一般的である。ゴム手袋は手の形をした金型を加硫剤を加えたゴムラテックス溜りに浸漬して金型表面にラテックスの膜を形成し、これを乾燥させた後、加熱して加硫を行うのであるが、この金型の指先の部分に突起を形成しておくことによって、指先に突起を形成した手袋が得られる。このようにして作られる手袋では突起は中空になり、皮膚への当たりが柔らかであるが、稍腰が弱く、皮膚への刺激に不足を感じる人も多い。
　そのため次のような図３に示す製造方法を用いると良い。手袋の本体１は上述した普通のゴム手袋の製法により製造し、各指先に別途必要な形の突起２を形成したシート３を用意しておき、手袋本体の加熱加硫前にこのシート３にゴムラテックスを塗って金型表面のラテッックス膜に接着した上で加熱加硫を行うのである。この製造法によるときは、突起２を形成したシート３は手袋本体１と同じ材質であっても、異なる材質であっても良い。ゴムは滑りが悪いので、ポリエチレン，塩化ビニール，ポリプロピレン，ナイロン等のプラスチックを用いると、使い易い手袋が得られる。この製造法によるときは、金型は一種類で前述した色々の突起を有する型の手袋を作ることが可能である。」（段落【０００８】〜【０００９】）
　
　そして、図１には、５本の指ａ〜ｅの指先の腹側に突起２を形成した手袋本体１が示され、図２（Ｃ）には、突起２を細かく多数にした、毛の短いブラシ状とした例が示され、図３には、複数の突起２が形成されたシート３を手袋の指先腹側に接着することが示されている。また、図２，３より、複数の突起２は相互に隙間を空けて離間していることが明らかである。
　
　上記記載について検討すると、記載アには、洗髪に用いる手袋が記載されており、記載イには、この手袋は、手袋本体１の各指ａ〜ｅの先端節、すなわち指先の腹側に突起２を形成したものであることが記載されており、記載ウには、該突起２は、毛の短いブラシに似た多数の突起を形成したものであることが記載されている。
　記載エには、かかる手袋の製造方法が記載されており、手袋の本体をゴムのような不透水性の素材で形成すること、すなわち、手袋を不透水性とすること、及び、突起２を形成したシート３をポリエチレン等のプラスチックで成形、すなわち、シート３から突起２を突出するように一体形成し、これを手袋本体に接着することが記載されている。
　
　上記記載事項及び図示内容を総合し、本願発明の記載ぶりに則って整理すると、引用例には次の発明（以下、「引用発明」という）が記載されている。
「５本の指ａ〜ｅを有する不透水性の手袋であって、
各指ａ〜ｅの指先腹側にシート３を接着するとともに、このシート３から、複数の毛の短いブラシに似た突起２を形成してなり、
各突起２はシート３に一体成形しており、
かつ突起２は、相互に隙間を空けて離間している洗髪用手袋。」
　
３．対比
　そこで、本願発明と引用発明とを対比すると、各文言の意味、機能または作用等からみて、引用発明の「指」は、本願発明の「指挿入部」に相当し、同様に、「不透水性の手袋」は、「防水手袋」に相当するので、引用発明の「５本の指ａ〜ｅを有する不透水性の手袋」は、本願発明の「５本の指挿入部２を突出する防水手袋」に相当する。
　また、引用発明の「指ａ〜ｅの指先腹側」は、本願発明の「指挿入部２の指腹覆合部３」に相当し、同様に、「シート３」はポリエチレン等のプラスチックで成形されたものであることから、適度の弾性があることが明らかであるので「弾性板５」に、「接着」は「固着」に、「複数の毛の短いブラシに似た」「突起２」も、同様にポリエチレン等のプラスチックで成形されたものであることから、適度の弾性を持つことが明らかであるので「複数の櫛歯状」「弾性突起４」に、突起２が「相互に隙間を空けて離間している」ことは、弾性突起４を「相互に小間隙を介して離間させている」ことに、それぞれ相当する。そして、引用発明の「洗髪用手袋」は、手袋の限りで本願発明の「洗髪兼整髪用手袋」に相当する。
　したがって、両者は、本願発明の用語を用いて表現すると、次の点で一致する。
（一致点）
「５本の指挿入部を突出する防水手袋であって、
各指挿入部の指腹覆合部に弾性板を固着するとともに、この弾性板から、複数の櫛歯状弾性突起を突出してなり、
各弾性突起は、弾性板と一体成形しており、
かつ弾性突起は、相互に小間隙を介して離間させている、
手袋。」
　
　そして、両者は、次の点で相違する（対応する引用発明（引用例記載）の用語を（　）内に示す）。
（相違点ａ）
　本願発明の弾性突起は先端部に比べて基端部を太くして弾性板と一体成形したものであるのに対し、引用発明の弾性突起（突起２）は弾性板（シート３）と一体成形したものであるが、その先端部と基端部の太さの関係が明らかでない点。
　
（相違点ｂ）
　本願発明の手袋は洗髪兼整髪用手袋であるのに対し、引用発明の手袋は洗髪用手袋であるが、整髪用にも兼用できるものであるか否か明らかでない点。
　
４．判断
　上記相違点について検討する。
（相違点ａについて）
　一般に、本願発明の弾性板に相当する台部と、弾性突起に相当するブラシ毛とを一体成形したブラシにおいて、ブラシ毛の強度や、髪通りの良さ、成形性等を考慮してブラシ毛の基端部を先端部に比べて太く成形したものは、例えば次に示すように周知となっている。
　実願平２−１２７７０５号（実開平３−８７３２０号）のマイクロフィルム（ブラシ毛取付部と針状体からなるブラシ毛とを合成樹脂材料で一体成形により形成したヘアブラシであって、ブラシ毛に強度を持たせるため、ブラシ毛の先端の直径ｄ２を根本の直径ｄ１の１／３〜２／３に成形したもの：明細書５ページ７〜１２行、７ページ４〜１８行等参照）、特開昭６０−２２７７０７号公報（弾性支持部材に整髪用突起の基部を一体成形した整髪具であって、頭髪間へのブリスルの挿入しやすさ、成形のしやすさを考慮し、整髪用突起を基部より先端に向かって徐々に細くしたもの：特許請求の範囲、２ページ左上欄７〜１０行等参照）、実願昭６３−４４９９０号（実開平１−１５１７２７号）のマイクロフィルム（連結帯３１上に植毛３を一体に突設してなる刷毛体３２をＡＢＳ樹脂等のプラスチックで一体成形したヘヤーブラシ。植毛３は基部が先端部に比べ太い：明細書５ページ９〜１５行、第１，２図参照）、実願平２−１１８６１号（実開平３−１０２９２６号）のマイクロフィルム（ブラシ毛１と台部２と把持部３を静電防止性樹脂で一体成形したヘアブラシ。ブラシ毛は基部が先端部に比べ太い：実用新案登録請求の範囲、第１，２図参照）
　そこで、引用発明に、かかる周知技術を適用し、弾性板（シート３）と一体成形される弾性突起（突起２）の基部を先端部に比べ太く成形し、相違点ａに係る本願発明の特定事項のようにすることは、当業者が容易に想到し得たことである。
　
（相違点ｂについて）
　一般に、洗髪と整髪とに兼用可能なブラシは、例えば、次に示すように周知であり、このようにブラシは、整髪、洗髪、頭皮マッサージ等の目的にしばしば兼用して用いられるものである。
　特開平２００３−２４５１３１号公報（洗髪、整髪、マッサージ兼用ブラシ：段落【０００２】、【０００８】参照）、実願昭６０−１９１４４３号（実開昭６２−１００１０５号）のマイクロフィルム（整髪兼用洗髪用櫛：明細書１ページ１３〜１４行、２ページ９〜１３行参照）
　引用発明は、複数の毛の短いブラシに似た突起２を形成した洗髪用手袋であってブラシ類似のものであるから、上記周知技術を勘案して、ブラシにおける場合と同様に、これを整髪にも兼用できるようにし、相違点ｂに係る本願発明の特定事項のようにすることは、当業者が容易に想到し得たことである。
　
　そして、本願発明による効果も、引用発明及び周知技術から当業者が予測し得た程度のものであって、格別なものとはいえない。
　
５．むすび
　したがって、本願発明は、引用発明及び周知技術に基いて、当業者が容易に発明をすることができたものであるので、特許法第２９条第２項の規定により、特許を受けることができない。
　よって、結論のとおり審決する。